(57)【要約】      （修正有）【課題】ＡＣコンセントの大地アースを利用し大地アースと治療導子間にマイナス直流電位を発生させ、治療導子を大地より絶縁された人体の皮膚に直接接触させて、マイナス直流電位を直接人体に印加するマイナス直流電位治療器において、大地アースと人体間に距離がある場合、治療電位の減衰により電位の調整が必要であるという課題、およびＡＣコンセントが大地アースに接続されていない場合は治療ができないという課題を解決する。【解決手段】マイナス直流電位治療器において、ＡＣ電源コードとは別に本体から大地アースに接地可能なアース端子とアースコードを設け、本体のアース端子にアースコードを接続し、アースコードの他方はコンセント等のアース接地用端子に接続、または導電性マットに接続するよう構成する。【選択図】図５
0003212573.tif 000002
【実用新案登録請求の範囲】
【請求項１】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
ＡＣ電源コードとは別に本体から大地アースに接地可能なアース端子とアースコードを設け、本体のアース端子にアースコードを接続し、アースコードの他方はコンセント等のアース接地用端子に接続、または導電性マットに接続するようにしたことを特徴とするマイナス直流電位治療器。
【請求項２】
請求項１記載のマイナス直流電位治療器であって、
前記治療導子を固定バンドと一体にして治療導子兼固定バンドとしたことを特徴とするマイナス直流電位治療器。
【請求項３】
請求項１記載のマイナス直流電位治療器であって、
大地アースと人体間との距離を近くすることにより、治療電位の減衰もなく、出力メーターおよび電位調整が不要となり電位を固定で出力できるようにしたことを特徴とするマイナス直流電位治療器。
【請求項４】
請求項１記載のマイナス直流電位治療器であって、
人体から大地アースに流れる漏れ電流を測定および検知する機能を有し、漏れ電流の検知感度に閾値を設け、漏れ電流を検知することで完全絶縁による治療が可能としたことを特徴とするマイナス直流電位治療器。
【請求項５】
請求項１記載のマイナス直流電位治療器であって、
人体から大地アースに流れる漏れ電流の検知感度を治療環境に合わせ調整できるようにしたことを特徴とするマイナス直流電位治療器。
【請求項６】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
出力チェック端子とアースチェック端子を共有化したことを特徴とするマイナス直流電位治療器。
【請求項７】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
漏れ電流検出回路と出力チェック検出回路を共有化したことを特徴とするマイナス直流電位治療器。
【請求項８】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
漏れ電流表示と出力チェックの表示およびアースチェック表示と電源表示を共有化したことを特徴とするマイナス直流電位治療器。
【請求項９】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
電源トランスと電位出力用の昇圧トランスを一体化したことを特徴とするマイナス直流電位治療器。
【考案の詳細な説明】
【技術分野】
【０００１】
本考案は、大地アースと治療導子間にマイナス直流電位を発生させ、大地より絶縁された人体に付属の治療導子兼固定バンドを固定し、マイナス直流電位を直接人体に印加するマイナス直流電位治療器に関するものである。
【背景技術】
【０００２】
従来、マイナス直流電位治療器は、例えば、下記特許文献１に示すように、ＡＣコンセントの大地アースを利用し大地アースと治療導子間に電位を発生させ、前記治療導子を大地より絶縁された人体の皮膚に直接接触させて、マイナス直流電位を直接人体に印加している。
【０００３】
また、従来一般の実用に供されているマイナス直流電位治療器は、図６に示すような外観を備え、且つ図７のブロック図に示す回路構成を備えている。すなわち、図６に示すように、従来のマイナス直流電位治療器は、電源プラグ２１を家庭の電源コンセントに差込み、電源スイッチ２２をＯＮすると、電源ランプ２３が点灯する。次に、アースチェック端子２４に手を触れて、アースチェックランプ２５の点灯を確認する。前記アースチェックランプ２５が点灯すると、次の操作に移ることができるが、点灯していないときは、前記電源プラグ２１をコンセントから抜いて、左右を入れ替えて、再びコンセントに差込むと、前記アースチェックランプ２５は点灯する。その後、電位出力口２６または２７のいずれかに治療導子（図示せず）のプラグを差込みセットして、治療時間をタイマー２８でセットする。
【０００４】
その後、絶縁シート等の絶縁物を敷き、その上に乗り、左手で前記治療導子を握ったまま、出力電圧計２９のメーターを適当に上げて、出力チェック端子３０に手を触れると、出力チェックランプ３１が点灯する。手を離すと消灯する。次に、漏れ電流計３２で漏れ電流を確認し、ゼロであれば電流漏れはないということであるが、もし、漏れ電流がゼロになってなければ、絶縁シートから人体や椅子・布団がはみ出しているか、大地アースに近い周辺物に人体が接触していることが考えられるため、再度絶縁状態を見直し、漏れ電流がゼロとなったことを確認して、前記治療導子を皮膚に接触させると共に、該治療導子の上から面ファスナーより成る巻き付けベルト（図示せず）で巻き付け固定して治療するよう形成されている。なお、図中、３３は、出力表示ランプ、３４は出力調整ボリュームである。
【先行技術文献】
【特許文献】
【０００５】
【特許文献１】特開２００４−１９５１４２号公報
【考案の概要】
【考案が解決しようとする課題】
【０００６】
前記特許文献に示すマイナス直流電位治療器は、ＡＣコンセントの大地アースを利用し大地アースと治療導子間にマイナス直流電位を発生させ、前記治療導子を大地より絶縁された人体の皮膚に直接接触させて、マイナス直流電位を直接人体に印加しているが、大地アースと人体間に距離がある場合、アースチェック端子により大地アースを検出ができない場合や、治療電位の減衰により電位の調整が必要であった。また、ＡＣコンセントが大地アースに接続されていない場合（大地アースと絶縁されている場合）は治療ができず、漏れ電流の検知機能を有していないため、完全絶縁されているかどうか確認できない状況で治療をすることとなり、治療効果が発揮できないという課題があった。
【０００７】
一方、前記実用に供されているマイナス直流電位治療器は、前記特許文献同等大地アースと人体間に距離がある場合、アースチェック端子により大地アースを検出ができない場合や、治療電位の減衰により電位の調整が必要であった。また、ＡＣコンセントが大地アースに接続されていない場合（大地アースと絶縁されている場合）は治療ができなかった。更に、漏れ電流の検知メーターも、ｍＡ（１／１０００）の電流計で目視確認ができる程度で、漏れ電流の検知機能を有していないため、完全絶縁されているかどうか確認できない状況で治療をしており、治療効果が発揮できないという課題があった。
【０００８】
また、前記実用に供されているマイナス直流電位治療器は、出力電圧計、漏れ電流計、アースチェック端子、出力チェック端子、電源スイッチ、タイマー、出力調整ボリューム等がパネルに配置されおり、内部には電位出力用の高圧トランス（昇圧トランス）、電源を構成するための電源トランス等が内蔵されているため、装置が大型になり持ち運びが不便で、使用する場所が限られているという課題があった。
【０００９】
更に、前記実用に供されているマイナス直流電位治療器は、治療導子を皮膚に接触させると共に、該治療導子の上から面ファスナーより成る巻き付けベルトで巻き付け固定して治療するよう形成されているが、前記巻き付けベルトと治療導子がそれぞれ別部材であるので、治療導子が巻き付けベルトから脱落する虞があり、治療の機動性および安定性を確保できないという課題があった。
【００１０】
また更に、前記実用に供されているマイナス直流電位治療器は、図６の回路構成図によれば、出力チェック検出・表示回路、アースチェック検知・表示回路、出力電圧整流電圧調整回路、各トランスＴ１・Ｔ２で構成されている。また、出力電圧は、出力トランスＴ２のみで昇圧し、ダイオードＤ２で整流されトランス２次側で出力電圧が調整されているため、前記トランスＴ２およびダイオードＤ２並びにその他出力電圧整流電圧調整回路には、高耐圧の部品必要になり小型化できず、また、漏れ電流は電流計で目視できる程度で、測定できる電流もｍＡ（１／１０００）で、回路による検知機能を有していないという課題があった。
【００１１】
本考案は、前記課題を解決すべくなされたもので、ＡＣコンセントの大地アースを利用し大地アースと治療導子間にマイナス直流電位を発生させ、大地より絶縁された人体に、治療導子を固定バンドと一体にした治療導子兼固定バンドを固定し、マイナス直流電位を直接人体に印加するようにしたマイナス直流電位治療器を提供しようとするものである。
【課題を解決するための手段】
【００１２】
本考案は、前記課題を解決するために、下記請求項記載の考案が提供される。すなわち、
請求項１において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、ＡＣ電源コードとは別に本体から大地アースに接地可能なアース端子とアースコードを設け、本体のアース端子にアースコードを接続し、アースコードの他方はコンセント等のアース接地用端子に接続、または導電性マットに接続するようにしたことを特徴とするマイナス直流電位治療器。が提供され、
請求項２において、
請求項１記載のマイナス直流電位治療器であって、前記治療導子を固定バンドと一体にして治療導子兼固定バンドとしたことを特徴とするマイナス直流電位治療器。が提供され、
請求項３において、
請求項１記載のマイナス直流電位治療器であって、大地アースと人体間との距離を近くすることにより、治療電位の減衰もなく、出力メーターおよび電位調整が不要となり電位を固定で出力できるようにしたことを特徴とするマイナス直流電位治療器。が提供され、
請求項４において、
請求項１記載のマイナス直流電位治療器であって、人体から大地アースに流れる漏れ電流を測定および検知する機能を有し、漏れ電流の検知感度に閾値を設け、漏れ電流を検知することで完全絶縁による治療が可能としたことを特徴とするマイナス直流電位治療器。が提供され、
請求項５において、
請求項１記載のマイナス直流電位治療器であって、人体から大地アースに流れる漏れ電流の検知感度を治療環境に合わせ調整できるようにしたことを特徴とするマイナス直流電位治療器。が提供され、
請求項６において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、出力チェック端子とアースチェック端子を共有化したことを特徴とするマイナス直流電位治療器。が提供され、
請求項７において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、漏れ電流検出回路と出力チェック検出回路を共有化したことを特徴とするマイナス直流電位治療器。が提供され、
請求項８において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、漏れ電流表示と出力チェックの表示およびアースチェック表示と電源表示を共有化したことを特徴とするマイナス直流電位治療器。が提供され、
請求項９において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、電源トランスと電位出力用の昇圧トランスを一体化したことを特徴とするマイナス直流電位治療器。が提供される。
【考案の効果】
【００１３】
本考案マイナス直流電位治療器においては、該マイナス直流電位治療器本体から大地アースに接地可能なアース端子にアースコードを接続し、アースコードの他方をコンセント等のアース接地用端子に接地、または導電性マットに接続する場合、アースチェック端子でのアースチェックが必要なくなると共に、ＡＣコンセントが大地アースに接続されていない場合（大地アースと絶縁されている場合）でも治療ができ、大地アース間と人体との距離も近くなるため、治療電位の減衰もなく、出力メーター及び電位調整の必要が不要となり電位を固定で出力できる。
【００１４】
また、本考案マイナス直流電位治療器においては、ＡＣコンセントの大地アースを利用して、大地アースと治療導子間マイナス直流電位を発生させ、大地より絶縁された人体に、治療導子を固定バンドと一体にした治療導子兼固定バンドで固定し、マイナス直流電位を直接人体に印加するよう構成されているため、前記治療導子兼固定バンドにより皮膚に動揺することなく確固に固定され、従来のような面ファスナーが不要となり、治療導子が脱落することもなくなり、機動性、安定性を確保できるという優れた効果を奏することができる。
【００１５】
更に、従来のマイナス直流電位治療器にあっては、人体から大地アースに流れる漏れ電流は、ｍＡ（１／１０００）の電流計で目視確認ができる程度で検知機能を有していなかったが、本考案マイナス直流電位治療器においては、測定および検知機能を設け、検知感度をｎＡ(１／１０００００００００)の閾値で漏れ電流を検知することで、完全絶縁を実現でき、安定した治療により治療効果を高めることができる。また、付属のドライバーで漏れ電流の検知感度を微調整でき、治療環境に合わせ検知感度を調整できる。
【００１６】
また更に、本考案マイナス直流電位治療器本体から大地アースに接地可能なアース端子にアースコードを接続し、アースコードの他方をコンセント等のアース接地用端子に接地、または導電性マット(仮想大地アース)に接続するにより大地アースを確実に確保でき、大地アース間と人体との距離も近くなるため、治療電位の減衰もなく、電位を固定出力にすることができるので、従来のマイナス直流電位治療器におけるような電位調整ボリュームおよび出力メーターが不要となる。
【００１７】
そして更に、本考案マイナス直流電位治療器において、漏れ電流の検出に閾値を設けることで、漏れ電流メーターをＬＥＤ点灯・消灯表示に変更し、出力チェック端子とアースチェック端子を共有化、および分離していた漏れ電流と出力チェックの検出回路と表示、アースチェック表示と電源表示を共有化できると共に、タイマー時間を固定することで操作・表示を不要とすることができると共に、電源トランスと電位出力用の昇圧トランスを一体化させ、これらにより装置を小型化でき、いつででもどこでも使用可能なマイナス直流電位治療器を実現している。
【図面の簡単な説明】
【００１８】
【図１】本考案マイナス直流電位治療器の本体装置の正面図である。
【図２】本考案マイナス直流電位治療器の本体装置の平面図である。
【図３】本考案マイナス直流電位治療器の付属部品である治療導子兼固定バンドの斜視図である。
【図４】本考案マイナス直流電位治療器の付属部品であるアースコードの斜視図である。
【図５】本考案マイナス直流電位治療器の回路構成図である。
【図６】従来のマイナス直流電位治療器の本体装置の正面図である。
【図７】従来のマイナス直流電位治療器の回路構成図である。
【実施例】
【００１９】
本考案の実施の一例を図面に基づいて詳細に説明する。図１は、本考案マイナス直流電位治療器の本体装置の正面図、図２は同平面図、図３および図４は付属部品の斜視図である。そして、本考案マイナス直流電位治療器は、図５のブロック図に示すような回路構成を備えている。本考案マイナス直流電位治療器は、図５のブロック図に示すように、ＡＣプラグより入力されたＡＣ１００Ｖは、トランスＴ１により降圧され、該降圧された電圧は、電源回路、出力切替回路および出力ＯＮ／ＯＦＦ回路に供給される。また、電源回路より出力ＯＮ／ＯＦＦ回路、制御回路、漏れ電流兼出力電圧検知回路、アースチェック検知回路に必要な電源電圧が供給される。
【００２０】
次に、操作回路である図１の電源スイッチ１をＯＮすることにより、前記制御回路に電源が供給されたことが伝えられ、出力ＯＮ／ＯＦＦ回路が制御回路より出力開始の信号を受け、出力切替回路により前回設定された電圧が出力電圧昇圧回路に供給される。
【００２１】
前記電源スイッチ１のＯＮによる電源起動と同時に、表示回路であるアースチェックランプ兼電源ランプ２が点灯した後、治療前にアースチェック端子兼出力チェック端子３を手で触り、抵抗Ｒ７・コンデンサＣ２を介して、アースチェック検知回路にてＡＣコンセントのアース接地側を検出する。前記検出において、非アース接地の場合は、アースチェック検知回路に電圧が入力されるため、アースチェック検知回路より制御回路にその情報が出力され、表示・音声回路であるアースチェックランプ兼電源ランプ２は、アースチェック端子兼出力チェック端子３を手で触っている間消灯すると共に、「非アース接地」である旨を、ブザー音で知らせる。
【００２２】
前記検出において、「非アース接地」である旨をブザー音で知らされたときは、前記非アース接地を回避するため、ＡＣコンセントから一旦プラグを抜き取り、該プラグの極性を入れ替えて、再度前記プラグをＡＣコンセントに差込むと、前記アースチェックランプ兼電源ランプ２は点灯し、これにより、アースチェック検知回路には電圧が入力されないため、アース接地されていることを目視確認することができる。
【００２３】
また、出力電圧昇圧回路では、トランスを使わない、例えば、コッククロフト・ウォルトン回路によりコンデンサとダイオードにて出力電圧まで昇圧される。前記出力電圧昇圧回路にて出力電圧まで昇圧された電圧は、抵抗Ｒ３を介しアース接地切替回路により、ＡＣコンセントを経由し大地アースに接続されるか、ＡＣ電源コード４とは別に本体から大地アースに接地可能なアース端子５に図４のアースコードＡが接続され、コンセントなどのアース接地用端子に接地、または導電性マット（図示せず）に接続される。
【００２４】
前記出力電圧昇圧回路の他方は、抵抗Ｒ４・Ｒ５を介して電位出力口８に接続され、付属の治療導子兼固定バンドＢによりに人体に固定され、大地より絶縁された人体にマイナス直流電位が直接人体に印加される。この時、人体から大地アースに流れる漏れ電流がある場合、抵抗Ｒ４に電位差が発生し、その電位差を漏れ電流兼出力電位検知回路にて検知し、漏れ電流兼出力電位検知回路より制御回路にその情報が出力され、漏れ電流があることを表示・音声回路である出力ランプ兼漏れ電流ランプ７にて表示すると共に、「漏れ電流がある」旨を、ブザー音で知らせる。
【００２５】
なお、前記付属の治療導子兼固定バンドＢは、図３に示すように、治療導子Ｐが人体に巻き付ける固定バンドＢに一体に固定されて形成されており、治療に当たり、前記治療導子兼固定バンドＢを人体に巻き付け固定することにより、前記治療導子兼固定バンドにより人体に動揺することなく確固に固定され、従来のような面ファスナーが不要となり、治療導子が脱落することもなくなり、機動性、安定性を確保できる。
【００２６】
また、漏れ電流のない大地アースより完全に絶縁された状態で人体にマイナス直流電位が直接人体に印加される状態で、出力チェック兼アースチェック端子２に人体が触れると、人体に帯電しているマイナス直流電位が、出力電圧昇圧回路より抵抗Ｒ４・Ｒ５、電位出力口および人体、抵抗Ｒ７・Ｒ６を経由して出力電圧昇圧回路の他方に電流が流れ、抵抗Ｒ４に電位差が発生し、その電位差を漏れ電流兼出力電位検知回路にて検知し、漏れ電流兼出力電位検知回路より制御回路にその情報が出力され、表示・音声回路である出力ランプ兼漏れ電流ランプ７にて電位が人体に帯電していることを表示すると共に、「人体に帯電している」旨を、ブザー音で知らせる。
【００２７】
本考案は、前記のような構成とすることにより、漏れ電流検知回路と出力電位検出回路は共有化されており、また、アースチェック端子と出力チェック端子についても、アースチェック端子兼出力チェック端子３で共有化されている。出力電位を検出する際、前記アースチェック端子兼出力チェック端子３から入力される電圧は直流のため、コンデンサＣ２によりカットされアースチェック検出回路へは入力されない。以上により本考案が構成され、装置の小型化も実現している。なお、図中、８はブザー入切スイッチ、９は出力切り替スイッチ、１０は漏れ電流調整ボリュームである。
【符号の説明】
【００２８】
Ａ  アースコード
Ｂ  治療導子兼固定バンド
Ｐ  治療導子
１  電源スイッチ
２  アースチェックランプ兼電源ランプ
３  アースチェック端子兼出力チェック端子
４  ＡＣ電源コード
５  アース端子
６  電位出力口
【図１】
0003212573.tif 000003
【図２】
0003212573.tif 000004
【図３】
0003212573.tif 000005
【図４】
0003212573.tif 000006
【図５】
0003212573.tif 000007
【図６】
0003212573.tif 000008
【図７】
0003212573.tif 000009
【手続補正書】
【提出日】平成29年7月18日(2017.7.18)
【手続補正１】
【補正対象書類名】明細書
【補正対象項目名】００１０
【補正方法】変更
【補正の内容】
【００１０】
また更に、前記実用に供されているマイナス直流電位治療器は、図７の回路構成図によれば、出力チェック検出・表示回路、アースチェック検知・表示回路、出力電圧整流電圧調整回路、各トランスＴ２・Ｔ３で構成されている。また、出力電圧は、出力トランスＴ２のみで昇圧し、ダイオードＤ２で整流されトランス２次側で出力電圧が調整されているため、前記トランスＴ２およびダイオードＤ２並びにその他出力電圧整流電圧調整回路には、高耐圧の部品必要になり小型化できず、また、漏れ電流は電流計で目視できる程度で、測定できる電流もｍＡ（１／１０００）で、回路による検知機能を有していないという課題があった。
【手続補正２】
【補正対象書類名】明細書
【補正対象項目名】００１２
【補正方法】変更
【補正の内容】
【００１２】
本考案は、前記課題を解決するために、下記請求項記載の考案が提供される。すなわち、
請求項１において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、ＡＣ電源コードとは別に本体から大地アースに接地可能なアース端子とアースコードを設け、本体のアース端子にアースコードを接続し、アースコードの他方はコンセント等のアース接地用端子に接続、または導電性マットに接続するようにしたことを特徴とするマイナス直流電位治療器。が提供され、
請求項２において、
請求項１記載のマイナス直流電位治療器であって、前記治療導子を固定バンドと一体にして治療導子兼固定バンドとしたことを特徴とするマイナス直流電位治療器。が提供され、
請求項３において、
請求項１記載のマイナス直流電位治療器であって、大地アースと人体間との距離を近くすることにより、治療電位の減衰もなく、出力メーターおよび電位調整が不要となり電位を固定で出力できるようにしたことを特徴とするマイナス直流電位治療器。が提供され、
請求項４において、
請求項１記載のマイナス直流電位治療器であって、人体から大地アースに流れる漏れ電流を測定および検知する機能を有し、漏れ電流の検知感度に閾値を設け、漏れ電流を検知することで完全絶縁による治療が可能としたことを特徴とするマイナス直流電位治療器。が提供され、
請求項５において、
請求項１記載のマイナス直流電位治療器であって、人体から大地アースに流れる漏れ電流の検知感度を治療環境に合わせ調整できるようにしたことを特徴とするマイナス直流電位治療器。が提供され、
請求項６において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
出力チェック端子とアースチェック端子とを兼用するようにしたことを特徴とする請求項１記載のマイナス直流電位治療器。が提供され、
請求項７において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
漏れ電流検出回路と出力チェック検出回路とを兼用するようにしたことを特徴とする請求項１記載のマイナス直流電位治療器。が提供され、
請求項８において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
漏れ電流表示と出力チェックの表示およびアースチェック表示と電源表示とをそれぞれ兼用するようにしたことを特徴とする請求項１記載のマイナス直流電位治療器。が提供され、
請求項９において、
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
電源トランスと電位出力用の昇圧トランスとを兼用するようにしたことを特徴とする請求項１記載のマイナス直流電位治療器。が提供される。
【手続補正３】
【補正対象書類名】明細書
【補正対象項目名】００１７
【補正方法】変更
【補正の内容】
【００１７】
そして更に、本考案マイナス直流電位治療器において、漏れ電流の検出に閾値を設けることで、漏れ電流メーターをＬＥＤ点灯・消灯表示に変更し、出力チェック端子とアースチェック端子を兼用でき、および分離していた漏れ電流と出力チェックの検出回路と表示、アースチェック表示と電源表示を兼用できると共に、タイマー時間を固定することで操作・表示を不要とすることができると共に、電源トランスと電位出力用の昇圧トランスとを兼用するようにし、これらにより装置を小型化でき、いつでも、どこでも使用可能なマイナス直流電位治療器を実現している。
【手続補正４】
【補正対象書類名】明細書
【補正対象項目名】００２４
【補正方法】変更
【補正の内容】
【００２４】
前記出力電圧昇圧回路の他方は、抵抗Ｒ４・Ｒ５を介して電位出力口６に接続され、付属の治療導子兼固定バンドＢによりに人体に固定され、大地より絶縁された人体にマイナス直流電位が直接人体に印加される。この時、人体から大地アースに流れる漏れ電流がある場合、抵抗Ｒ４に電位差が発生し、その電位差を漏れ電流兼出力電位検知回路にて検知し、漏れ電流兼出力電位検知回路より制御回路にその情報が出力され、漏れ電流があることを表示・音声回路である出力ランプ兼漏れ電流ランプ７にて表示すると共に、「漏れ電流がある」旨を、ブザー音で知らせる。
【手続補正５】
【補正対象書類名】明細書
【補正対象項目名】００２７
【補正方法】変更
【補正の内容】
【００２７】
本考案は、前記のような構成とすることにより、アースチェックランプと電源ランプとが、アースチェックランプ兼電源ランプ２とで兼用されており、また、アースチェック端子と出力チェック端子についても、アースチェック端子兼出力チェック端子３とで兼用されており、更に、漏れ電流検知回路と出力電位検出回路とが兼用されると共に、漏れ電流ランプと出力ランプとが出力ランプ兼漏れ電流ランプ７とで兼用されている。出力電位を検出する際、前記アースチェック端子兼出力チェック端子３から入力される電圧は直流のため、コンデンサＣ２によりカットされアースチェック検出回路へは入力されない。以上により本考案が構成され、装置の小型化も実現している。なお、図中、８はブザー入切スイッチ、９は出力切り替スイッチ、１０は漏れ電流調整ボリュームである。
【手続補正６】
【補正対象書類名】明細書
【補正対象項目名】００２８
【補正方法】変更
【補正の内容】
【００２８】
Ａ  アースコード
Ｂ  治療導子兼固定バンド
Ｐ  治療導子
１  電源スイッチ
２  アースチェックランプ兼電源ランプ
３  アースチェック端子兼出力チェック端子
４  ＡＣ電源コード
５  アース端子
６  電位出力口
7  出力ランプ兼漏れ電流ランプ
8  ブザー入切スイッチ
9  出力切り替スイッチ
１０  漏れ電流調整ボリューム
【手続補正７】
【補正対象書類名】実用新案登録請求の範囲
【補正対象項目名】全文
【補正方法】変更
【補正の内容】
【実用新案登録請求の範囲】
【請求項１】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、ＡＣ電源コードとは別に本体から大地アースに接地可能なアース端子とアースコードを設け、本体のアース端子にアースコードを接続し、アースコードの他方はコンセント等のアース接地用端子に接続、または導電性マットに接続するようにしたことを特徴とするマイナス直流電位治療器。
【請求項２】
請求項１記載のマイナス直流電位治療器であって、前記治療導子を固定バンドと一体にして治療導子兼固定バンドとしたことを特徴とするマイナス直流電位治療器。
【請求項３】
請求項１記載のマイナス直流電位治療器であって、大地アースと人体間との距離を近くすることにより、治療電位の減衰もなく、出力メーターおよび電位調整が不要となり電位を固定で出力できるようにしたことを特徴とするマイナス直流電位治療器。
【請求項４】
請求項１記載のマイナス直流電位治療器であって、人体から大地アースに流れる漏れ電流を測定および検知する機能を有し、漏れ電流の検知感度に閾値を設け、漏れ電流を検知することで完全絶縁による治療が可能としたことを特徴とするマイナス直流電位治療器。
【請求項５】
請求項１記載のマイナス直流電位治療器であって、人体から大地アースに流れる漏れ電流の検知感度を治療環境に合わせ調整できるようにしたことを特徴とするマイナス直流電位治療器。
【請求項６】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
出力チェック端子とアースチェック端子とを兼用するようにしたことを特徴とする請求項１記載のマイナス直流電位治療器。
【請求項７】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
漏れ電流検出回路と出力チェック検出回路とを兼用するようにしたことを特徴とする請求項１記載のマイナス直流電位治療器。
【請求項８】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
漏れ電流表示と出力チェックの表示およびアースチェック表示と電源表示とをそれぞれ兼用するようにしたことを特徴とする請求項１記載のマイナス直流電位治療器。
【請求項９】
ＡＣコンセントの大地アースを利用し大地アースと治療導子間にマイナス直流電位を発生させ、大地より絶縁された人体に治療導子を固定し、マイナス直流電位を直接人体に印加することができるマイナス直流電位治療器において、
電源トランスと電位出力用の昇圧トランスとを兼用するようにしたことを特徴とする請求項１記載のマイナス直流電位治療器。
【手続補正８】
【補正対象書類名】図面
【補正対象項目名】図５
【補正方法】変更
【補正の内容】
【図５】
0003212573.tif 000010